(57)【特許請求の範囲】
【請求項１】
戸本体と、上記戸本体の下端部に設けられた戸の脚とを有し、出入口を閉じる戸閉位置と、上記戸閉位置よりも上記出入口の間口方向外側に位置し上記出入口を開く戸開位置との間で移動可能な引き戸、及び
上記戸の脚が挿入される敷居溝が上記引き戸の移動方向に沿って設けられ、上記出入口の下部に設けられた敷居
を備え、
上記敷居溝は、上記引き戸の移動方向へ上記戸の脚を案内する案内溝部と、上記引き戸の移動方向について上記案内溝部に連続し、上記案内溝部よりも大きな幅寸法を持ち、上記出入口の側部に位置する縦柱と上記戸本体との間の隙間が広がる方向への上記戸の脚の変位を許容する拡幅溝部とを有し、
上記拡幅溝部は、上記引き戸が上記戸閉位置にあるときの上記戸の脚の位置よりも戸開側の所定の位置に設けられているエレベータの出入口装置。
【請求項２】
上記戸本体の下端部には、第１の戸の脚と、上記第１の戸の脚よりも戸開側に離して配置された第２の戸の脚とが上記戸の脚として設けられ、
上記敷居溝は、上記引き戸が上記戸開位置にあるときに上記第１の戸の脚が進入する第１の拡幅溝部と、上記第１の拡幅溝部から離して配置され、上記引き戸が上記戸開位置にあるときに上記第２の戸の脚が進入する第２の拡幅溝部とを上記拡幅溝部として有している請求項１に記載のエレベータの出入口装置。
【請求項３】
上記第２の拡幅溝部の幅寸法は、上記第１の拡幅溝部の幅寸法よりも小さくなっている請求項２に記載のエレベータの出入口装置。
【請求項４】
上記戸本体の下端部には、第１の戸の脚と、上記第１の戸の脚よりも戸開側に離して配置された第２の戸の脚とが上記戸の脚として設けられ、
上記第１の戸の脚の上記敷居溝に挿入された部分の外周面の形状は、上下方向に沿った軸線を持つ円柱の外周面の形状とされている請求項１に記載のエレベータの出入口装置。
【請求項５】
上記拡幅溝部の長さ寸法は、上記戸の脚が上記拡幅溝部内で上記引き戸の移動方向へ所定の距離だけ移動可能な寸法とされている請求項１又は請求項４に記載のエレベータの出入口装置。
【発明の詳細な説明】
【技術分野】
【０００１】
この発明は、引き戸を出入口の間口方向へ移動させることにより出入口を開閉するエレベータの出入口装置に関するものである。
【背景技術】
【０００２】
従来、出入口柱と戸との間の隙間に異物が引き込まれることを防止するために、出入口側で戸に近い側の出入口柱の角部に軟質材を設けたエレベータ安全装置が提案されている（例えば特許文献１参照）。
【先行技術文献】
【特許文献】
【０００３】
【特許文献１】特開２００９−１６６９２０号公報
【発明の概要】
【発明が解決しようとする課題】
【０００４】
しかし、このようなエレベータ安全装置では、軟質材をボルト等で出入口柱に取り付けなければならず、部品点数が多くなり構成が複雑になってしまう。
【０００５】
この発明は、上記のような課題を解決するためになされたものであり、縦柱と引き戸との間の隙間への異物の引き込みを簡単な構成で抑制することができるエレベータの出入口装置を得ることを目的とする。
【課題を解決するための手段】
【０００６】
この発明に係るエレベータの出入口装置は、戸本体と、戸本体の下端部に設けられた戸の脚とを有し、出入口を閉じる戸閉位置と、戸閉位置よりも出入口の間口方向外側に位置し出入口を開く戸開位置との間で移動可能な引き戸、及び戸の脚が挿入される敷居溝が引き戸の移動方向に沿って設けられ、出入口の下部に設けられた敷居を備え、敷居溝は、引き戸の移動方向へ戸の脚を案内する案内溝部と、引き戸の移動方向について案内溝部に連続し、案内溝部よりも大きな幅寸法を持ち、出入口の側部に位置する縦柱と戸本体との間の隙間が広がる方向への戸の脚の変位を許容する拡幅溝部とを有し、拡幅溝部は、引き戸が戸閉位置にあるときの戸の脚の位置よりも戸開側の所定の位置に設けられている。
【発明の効果】
【０００７】
この発明に係るエレベータの出入口装置によれば、敷居溝の一部を拡幅溝部とするだけで、縦柱と戸本体との間の隙間が容易に広がるようにすることができる。従って、異物が縦柱と戸本体との間の隙間に挟まった場合に、縦柱と戸本体との間の隙間から異物を外れやすくすることができ、縦柱と引き戸との間の隙間への異物の引き込みを簡単な構成で抑制することができる。
【図面の簡単な説明】
【０００８】
【図１】この発明の実施の形態１によるエレベータの出入口装置を示す正面図である。
【図２】図１のII-II線に沿った断面図である。
【図３】図２の出入口が開いた状態を示す断面図である。
【図４】図３の縦柱と戸本体との間に異物が挟まっている状態を示す拡大図である。
【図５】図４のV-V線に沿った断面図である。
【図６】図２の第２の戸の脚が第１の拡幅溝部に進入したときの状態を示す断面図である。
【図７】この発明の実施の形態２によるエレベータの出入口装置を示す水平断面図である。
【図８】図７の引き戸と縦柱との間の隙間に異物が挟まっている状態を示す水平断面図である。
【発明を実施するための形態】
【０００９】
実施の形態１．
図１は、この発明の実施の形態１によるエレベータの出入口装置を示す正面図である。また、図２は、図１のII-II線に沿った断面図である。さらに、図３は、図２の出入口が開いた状態を示す断面図である。図において、昇降路内を移動するかご（図示せず）には、かごに対して乗客が乗降するための出入口（かご出入口）１が設けられている。出入口１の周囲には、図１に示すように、出入口１を縁取る出入口枠２が設けられている。出入口枠２は、出入口１の両側部に位置する一対の縦柱３と、出入口１の上部に位置し、各縦柱３の上端部間に連結されている上梁４とを有している。
【００１０】
出入口１の上部には、かごに固定されたハンガケース（図示せず）が配置されている。ハンガケースには、出入口１の間口方向（幅方向）に沿って配置されたドアレール（図示せず）が支持されている。ドアレールには、一対の引き戸（かごの戸）５が掛けられている。各引き戸５は、図２及び図３に示すように、出入口１の奥行き方向について出入口枠２からずらして配置され、出入口枠２からみてかご内とは反対側（昇降路側）に配置されている。
【００１１】
各引き戸５は、かごに設けられた図示しないドア駆動装置の駆動力により、ドアレールに案内されながら、出入口１の間口方向に沿って互いに逆方向へ移動可能になっている。また、各引き戸５は、出入口１を閉じる戸閉位置（図２）と、戸閉位置よりも出入口１の間口方向外側に位置し、出入口１を開く戸開位置（図３）との間で移動可能になっている。即ち、各引き戸５は、ドア駆動装置の駆動力を受けて出入口１の間口方向に沿って互いに逆方向へ移動されることにより、出入口１を開閉する。
【００１２】
各引き戸５は、ドアパネルを含む戸本体６と、戸本体６の下端部に設けられた第１の戸の脚７及び第２の戸の脚８（一対の戸の脚７，８）とを有している。各引き戸５は、図２及び図３に示すように、出入口１の奥行き方向について戸本体６と縦柱３との間に隙間を確保しながら、出入口１の間口方向へ移動される。
【００１３】
出入口１の下部には、かごの床に固定された敷居（かご敷居）９が配置されている。敷居９の上面には、上方へ開放された敷居溝１０が各引き戸５の移動方向（即ち、出入口１の間口方向）に沿って設けられている。なお、エレベータの出入口装置は、各引き戸５及び敷居９を有している。
【００１４】
第１及び第２の戸の脚７，８は、敷居溝１０に挿入される摺動部材１１をそれぞれ有している。この例では、摺動部材１１の形状が、敷居溝１０の長さ方向（引き戸５の移動方向）に沿って配置された略直方体となっている。各引き戸５は、第１及び第２の戸の脚７，８を敷居溝１０内に挿入した状態で戸閉位置と戸開位置との間を移動される。
【００１５】
敷居溝１０は、図２及び図３に示すように、引き戸５の移動方向へ第１及び第２の戸の脚７，８を案内する案内溝部１０ａと、引き戸５の移動方向について案内溝部１０ａに連続し、案内溝部１０ａよりも大きな幅寸法をそれぞれ持つ第１の拡幅溝部１０ｂ及び第２の拡幅溝部１０ｃとを有している。第１の拡幅溝部１０ｂ及び第２の拡幅溝部１０ｃは、第１及び第２の戸の脚７，８の数に対応させて敷居溝１０に一対ずつ設けられている。
【００１６】
案内溝部１０ａの幅寸法は、引き戸５の移動方向についてどの位置でも同一の寸法となっている。また、案内溝部１０ａの幅寸法は、案内溝部１０ａの幅方向への摺動部材１１の変位を規制する所定の寸法とされている。
【００１７】
第１の拡幅溝部１０ｂ及び第２の拡幅溝部１０ｃは、引き戸５が戸閉位置にあるときの第１及び第２の戸の脚７，８の位置よりも戸開側の所定の位置にそれぞれ設けられている。この例では、第１の拡幅溝部１０ｂが縦柱３の近傍に設けられている。第２の拡幅溝部１０ｃは、第１の拡幅溝部１０ｂから戸開側に離れた位置に設けられている。第１の拡幅溝部１０ｂと第２の拡幅溝部１０ｃとの間の距離は、共通の引き戸５に設けられた第１の戸の脚７と第２の戸の脚８との間の距離と一致している。第１の拡幅溝部１０ｂは出入口１の中心線に関して対称位置にそれぞれ設けられ、第２の拡幅溝部１０ｃも出入口１の中心線に関して対称位置にそれぞれ設けられている。
【００１８】
第１の拡幅溝部１０ｂ及び第２の拡幅溝部１０ｃは、案内溝部１０ａよりも出入口枠２と反対側へ広がって形成されている。即ち、敷居溝１０の一対の内側面のうち、出入口枠２に近い側の一方の内側面は、案内溝部１０ａ、第１の拡幅溝部１０ｂ及び第２の拡幅溝部１０ｃのいずれにおいても、引き戸５の移動方向に沿った共通の平面上に形成されている。敷居溝１０の出入口枠２から遠い側の他方の内側面は、案内溝部１０ａでは一方の内側面から所定の寸法だけ離れた位置に形成され、第１及び第２の拡幅溝部１０ｂ，１０ｃでは一方の内側面から案内溝部１０ａの幅寸法よりも大きな寸法だけ離れた位置に形成されている。
【００１９】
第２の拡幅溝部１０ｃの幅寸法は、第１の拡幅溝部１０ｂの幅寸法よりも小さくなっている。また、第１及び第２の拡幅溝部１０ｂ，１０ｃの長さ方向両端部に位置する他方の内側面（出入口枠２から遠い側の内側面）には、第１及び第２の拡幅溝部１０ｂ，１０ｃの幅寸法を案内溝部１０ａに向かって連続的に小さくする傾斜面１２がそれぞれ設けられている。
【００２０】
引き戸５が戸閉位置にあるときには、図２に示すように、第１及び第２の戸の脚７，８のそれぞれが案内溝部１０ａ内に配置されている。引き戸５が戸開位置に達したときには、図３に示すように、第１の戸の脚７が第１の拡幅溝部１０ｂに進入するとともに、第２の戸の脚８が第２の拡幅溝部１０ｃに進入する。第１の戸の脚７が第１の拡幅溝部１０ｂに進入し、第２の戸の脚８が第２の拡幅溝部１０ｃに進入しているときには、縦柱３と戸本体６との間の隙間が広がる方向（即ち、戸本体６が縦柱３から離れる方向）への第１及び第２の戸の脚７，８の変位が許容される。
【００２１】
ここで、引き戸５が戸開方向へ移動しているときには、図３に示すように、異物（例えば乗客の荷物等）２１が縦柱３と戸本体６との間に引き込まれて衝撃や圧迫により異物２１が破損するおそれがある。
【００２２】
図４は、図３の縦柱３と戸本体６との間に異物２１が挟まっている状態を示す拡大図である。また、図５は、図４のV-V線に沿った断面図である。引き戸５が戸開位置にあるときに縦柱３と戸本体６との間に異物２１が挟まっている状態では、戸本体６が異物２１に押されて、第１及び第２の戸の脚７，８が縦柱３から離れる方向へ変位され、縦柱３と戸本体６との間の隙間が広がっている。これにより、異物２１が受ける衝撃や圧迫が大きく軽減されている。このとき、第２の拡幅溝部１０ｃの幅寸法が第１の拡幅溝部１０ｂの幅寸法よりも小さくなっているので、図４に示すように、第１の戸の脚７が第２の戸の脚８よりも大きく変位され、引き戸５が敷居溝１０の長さ方向（引き戸５の移動方向）に対して傾いた状態となっている。これにより、異物２１が縦柱３と戸本体６との間から外れやすくなっている。
【００２３】
なお、この例では、縦柱３と戸本体６との間の通常の隙間寸法ｄ（図５）が約３ｍｍ〜６ｍｍとされている。また、この例では、第１の拡幅溝部１０ｂの幅寸法が案内溝部１０ａの幅寸法よりも８ｍｍ以上大きくなっている。これにより、引き戸５が戸開位置にあるときには、縦柱３と戸本体６との間の隙間寸法ｄがかご床上の５００ｍｍの高さ位置で約１１ｍｍ以上になるまで、縦柱３に対する引き戸５の変位が許容される。
【００２４】
図６は、図２の第２の戸の脚８が第１の拡幅溝部１０ｂに進入したときの状態を示す断面図である。引き戸５が出入口１を開閉するときには、第２の戸の脚８が第１の拡幅溝部１０ｂを通過するときがある。このとき、第２の戸の脚８が案内溝部１０ａから外れるので、第２の戸の脚８の幅方向についての規制はなくなる。しかし、第１の戸の脚７が案内溝部１０ａで案内されているので、引き戸５の移動方向に対して第１の戸の脚７が傾くことが防止される。これにより、出入口１の開閉途中に第２の戸の脚８が第１の拡幅溝部１０ｂを通過しても、引き戸５が左右に振れることが抑制される。
【００２５】
次に、動作について説明する。出入口１が開閉されるときには、第１及び第２の戸の脚７が案内溝部１０ａに案内されながら各引き戸５が移動し、各引き戸５の左右への振れが抑制される。
【００２６】
引き戸５が戸開位置に達したときには、第１及び第２の戸の脚７，８がそれぞれ第１及び第２の拡幅溝部１０ｂ，１０ｃに進入し、縦柱３から離れる方向への第１及び第２の戸の脚７，８の変位が可能になる。このとき、縦柱３と戸本体６との間の隙間に異物２１が挟まれている場合には、図３及び図４に示すように、縦柱３と戸本体６との間の隙間が広がり、縦柱３と戸本体６との間の隙間から異物２１が外れやすくなる。
【００２７】
このようなエレベータの出入口装置では、第１及び第２の拡幅溝部１０ｂ，１０ｃが、案内溝部１０ａよりも大きな幅寸法を持ち、縦柱３と戸本体６との間の隙間が広がる方向への第１及び第２の戸の脚７，８の変位を許容するようになっているので、敷居溝１０の一部を第１及び第２の拡幅溝部１０ｂ，１０ｃとするだけで、縦柱３と戸本体６との間の隙間が容易に広がるようにすることができる。これにより、異物２１が縦柱３と戸本体６との間の隙間に挟まった場合に、異物２１に対する衝撃や圧迫を軽減することができ、縦柱３と戸本体６との間の隙間から異物２１を外れやすくすることができる。従って、縦柱３と引き戸５との間の隙間への異物２１の引き込みを簡単な構成で抑制することができる。
【００２８】
また、第１及び第２の戸の脚７，８が戸本体６の下端部に設けられ、引き戸５が戸開位置にあるときに、第１の戸の脚７が第１の拡幅溝部１０ｂに進入し、第２の戸の脚８が第２の拡幅溝部１０ｃに進入するので、縦柱３と戸本体６との間の隙間から異物２１を外れやすくすることができるだけでなく、開閉動作時に出入口１の間口方向へ引き戸５をより安定して案内することができる。
【００２９】
また、第１の拡幅溝部１０ｂよりも戸開側に位置する第２の拡幅溝部１０ｃの幅寸法が、第１の拡幅溝部１０ｂの幅寸法よりも小さくなっているので、縦柱３と戸本体６との間の隙間が広がったときに、敷居溝１０の長さ方向に対して引き戸５を傾斜させることができる。これにより、縦柱３と戸本体６との間の隙間寸法を出入口１の間口方向内側に向かって連続的に広がるようにすることができ、縦柱３と戸本体６との間の隙間から異物２１をさらに外れやすくすることができる。
【００３０】
なお、上記の例では、第２の拡幅溝部１０ｃの幅寸法が第１の拡幅溝部１０ｂの幅寸法よりも小さくなっているが、第２の拡幅溝部１０ｃの幅寸法を第１の拡幅溝部１０ｂの幅寸法と同じであってもよいし、縦柱３と戸本体６との間の隙間の拡大が確保されるのであれば、第２の拡幅溝部１０ｃの幅寸法が第１の拡幅溝部１０ｂの幅寸法よりも大きくなっていてもよい。
【００３１】
また、上記の例では、共通の引き戸５に設けられている戸の脚の数が第１及び第２の戸の脚７，８の２つとされているが、共通の引き戸５に設けられる戸の脚の数を１つとしてもよいし、３つ以上としてもよい。この場合、拡幅溝部の数及び位置は、戸の脚の数及び位置に合わせて設定される。
【００３２】
実施の形態２．
図７は、この発明の実施の形態２によるエレベータの出入口装置を示す水平断面図である。また、図８は、図７の引き戸５と縦柱３との間の隙間に異物２１が挟まっている状態を示す水平断面図である。図において、敷居溝１０は、実施の形態１と同様の案内溝部１０ａと、案内溝部１０ａに連続し、案内溝部１０ａよりも大きな幅寸法を持つ一対の拡幅溝部１０ｄとを有している。
【００３３】
各拡幅溝部１０ｄは、引き戸５が戸閉位置にあるときの第１及び第２の戸の脚７，８のいずれの位置よりも戸開側の所定の位置に設けられている。拡幅溝部１０ｄは、出入口１の中心線に関して対称位置にそれぞれ設けられている。
【００３４】
拡幅溝部１０ｄの長さ寸法は、実施の形態１での第１の拡幅溝部１０ｂの長さ寸法よりも長くなっている。即ち、拡幅溝部１０ｄの長さ寸法は、第２の戸の脚８が拡幅溝部１０ｄ内で引き戸５の移動方向へ所定の距離だけ移動可能な寸法とされている。また、拡幅溝部１０ｄの長さ寸法は、共通の引き戸５に設けられた第１及び第２の戸の脚７，８がまとめて収まる寸法になっている。拡幅溝部１０ｄの他の構成は、実施の形態１での第１の拡幅溝部１０ｂの構成と同様である。
【００３５】
第１の戸の脚７は、敷居溝１０に挿入される摺動部材３１を有している。第１の戸の脚７における摺動部材３１の外周面の形状は、上下方向に沿った軸線を持つ円柱の外周面の形状とされている。従って、引き戸５は、第１の戸の脚７が案内溝部１０ａ内に挿入されている状態で、第１の戸の脚７の上下方向に沿った軸線を中心に回動可能になっている。他の構成は実施の形態１と同様である。
【００３６】
次に、動作について説明する。各引き戸５が戸閉位置から戸開方向へ移動されると、まず第２の戸の脚８が拡幅溝部１０ｄに進入する。この後、第１の戸の脚７が拡幅溝部１０ｄに進入し、引き戸５が戸開位置に達する。引き戸５が戸開位置にあるときには、第１及び第２の戸の脚７，８がいずれも拡幅溝部１０ｄに進入しており、縦柱３と戸本体６との間の隙間が広がる方向への第１及び第２の戸の脚７，８の変位が可能になっている。
【００３７】
また、図８に示すように、第１及び第２の戸の脚７，８のうち、第２の戸の脚８のみが拡幅溝部１０ｄに進入している状態では、縦柱３と戸本体６との間の隙間に異物２１が挟まれると、第１の戸の脚７を中心として引き戸５が回動されて、第２の戸の脚８が縦柱３から離れる方向へ変位される。これにより、縦柱３と戸本体６との間の隙間が広がり、縦柱３と戸本体６との間の隙間から異物２１が外れやすくなる。
【００３８】
このようなエレベータの出入口装置では、第１及び第２の戸の脚７，８のうち、戸閉側に配置された第１の戸の脚７における摺動部材３１の外周面の形状が、上下方向に沿った軸線を持つ円柱の外周面の形状とされているので、第１の戸の脚７が案内溝部１０ａにある状態であっても、第１の戸の脚７を中心として引き戸５を回動可能にすることができる。これにより、第２の戸の脚８が拡幅溝部１０ｄに進入していれば、第１の戸の脚７が拡幅溝部１０ｄに進入していなくても、異物２１が縦柱３と引き戸５との間の隙間に挟まったときに縦柱３と引き戸５との間の隙間を広げることができる。従って、縦柱３と引き戸５との間の隙間への異物２１の引き込みをさらに確実に抑制することができる。
【００３９】
また、拡幅溝部１０ｄの長さ寸法は、第２の戸の脚８が拡幅溝部１０ｄ内で引き戸５の移動方向へ所定の距離だけ移動可能な寸法とされているので、縦柱３と引き戸５との間の隙間への異物２１の引き込みをさらに広い範囲で回避することができる。
【００４０】
なお、上記の例では、第１及び第２の戸の脚７，８のうち、第１の戸の脚７における摺動部材３１の外周面の形状のみが円柱の外周面の形状とされているが、第１及び第２の戸の脚７，８のそれぞれにおける摺動部材１１，３１の外周面の形状を円柱の外周面の形状としてもよい。
【００４１】
また、実施の形態１での第１及び第２の戸の脚７，８における摺動部材１１の少なくともいずれかの外周面の形状を、上下方向に沿った軸線を持つ円柱の外周面の形状としてもよい。
【００４２】
また、各上記実施の形態では、かご出入口を開閉するエレベータの出入口装置にこの発明が適用されているが、各階の乗場に設けられた乗場出入口を開閉するエレベータの出入口装置にこの発明を適用してもよい。
【符号の説明】
【００４３】
１  出入口、３  縦柱、５  引き戸、６  戸本体、７  第１の戸の脚（戸の脚）、８  第２の戸の脚（戸の脚）、９  敷居、１０  敷居溝、１０ａ  案内溝部、１０ｂ  第１の拡幅溝部（拡幅溝部）、１０ｃ  第２の拡幅溝部（拡幅溝部）、１０ｄ  拡幅溝部。
【図１】
0005721594.tif 000002
【図２】
0005721594.tif 000003
【図３】
0005721594.tif 000004
【図４】
0005721594.tif 000005
【図５】
0005721594.tif 000006
【図６】
0005721594.tif 000007
【図７】
0005721594.tif 000008
【図８】
0005721594.tif 000009